(57)【特許請求の範囲】
【請求項１】
熱接着性を有する袋体の開口部の内側に雌雄咬合型のチャックが設けられ、前記開口部における前記チャックより上部には同等長で対面する表裏の耳片が設けられており、熱接着性を有する通気性テープ素材が前記開口部の上方を囲むようにして前記表裏の耳片相互をつなぎ、かつ袋幅に渡って接着一体化されていることを特徴とする合成樹脂製チャック付の袋体。
【発明の詳細な説明】
【０００１】
【発明の属する技術分野】
本発明は、滅菌処理を必要とする内容物が包装された状態で滅菌処理を施し、その滅菌処理が施された内容物が汚染されることなく滅菌状態を可及的に維持させるようにした合成樹脂製チャック付の袋体に関するものである。
【０００２】
【従来の技術】
ガーゼ、脱脂綿、繃帯、縫合糸、綿棒、綿球、生理綿等の医療補助品ないし家庭用衛生材料あるいは、注射器、輸液セット、輸血セット、シャーレ、医療用手袋等の医療用器具は袋体に包入した状態で滅菌処理している。
【０００３】
従来、滅菌処理するためのチャック付の袋体は、例えば、実開平４−１０２２７０号や実開昭５８−１８２６４８号で提供されている。これらの何れにおいてもチャックより下方の部位に通気部を持っており、加えてチャックが閉鎖されていることが大前提となっている。
【０００４】
【発明が解決しようとする課題】
上記従来のような袋体では、通気部がチャックより下方の部位に設けられているため、チャックを閉じた状態においても常に袋体の内外は通気部によって通気状態となっており、下記のような諸問題を有している。
【０００５】
通気部の通気性素材としては、空気は容易に透過するが水分は透過しないような材質が好ましいが、一般的には空気が透過し易いものは当然のこと水分も透過し易くなる。従って、多湿の雰囲気の状況下に放置されたり、通気性素材に水分が直接、間接的に付着するような状況下におかれた場合には、内容物にカビが生じたり、変質してしまう恐れがある。また、滅菌処理を施しているに拘らず、水分が付着することによって水分を媒体とする細菌の浸透を生じ、この細菌が袋体内で増殖して内容物が汚染されてしまう危険性があった。
【０００６】
さらに、通気性素材は袋本体のフィルムより脆弱である。従って、内容物によっては、通気性素材に直接接触することにより、通気性素材が傷ついたり、穴が開いたりする等の不具合を生じ、滅菌効果が消失または低下する場合がある。あるいは、内容物の荷重が通気部の通気性素材に集中し易く、通気部より破袋を生じる危険性がある。
【０００７】
元来、通気性素材自体は袋本体と比較して高価であり、両者の使用割合を必要最低限に止めることが要求されるが、上記の不具合を解消するために、強度的にも優れた通気性素材を用いるようにした場合、コストがさらに高くなる等の問題が生じる。
【０００８】
本発明の目的は、上記従来の問題点に鑑みて、通気部から袋体内への湿分や水分、あるいは水分を媒体とする細菌の浸透を遮断し、かつ、通気部自体が損傷を来たすような場合が生じても、滅菌処理後の滅菌効果を可及的に持続可能とした低コストの合成樹脂製チャック付の袋体を提供することである。
【０００９】
【課題を解決するための手段】
上記目的を達成するための本発明は、請求項１に記載の通り、熱接着性を有する袋体の開口部の内側に雌雄咬合型のチャックが設けられ、前記開口部における前記チャックより上部には同等長で対面する表裏の耳片が設けられており、熱接着性を有する通気性テープ素材が前記開口部の上方を囲むようにして前記表裏の耳片相互をつなぎ、かつ袋幅に渡って接着一体化されていることを特徴とするものである。
【００１０】
【発明の実施の形態】
以下本発明の実施の形態を図面に基づいて説明する。実施例１については図１で示すように、チャック２より上部に同等長で延在する対の耳片２０ａ、２０ｂの上端縁１ｃ、１ｄに熱接着性を有する通気性テープ素材４をシール５ａ、５ｂして耳片２０ａ、２０ｂ相互をつなぎ、かつ袋体１の全幅に渡って接着一体化した構造である。
【００１１】
また、実施例２については図２で示すように、チャック２より上部に同等長で延在する耳片２０ａ、２０ｂの上端縁１ｃ、１ｄよりも少しばかり下位で熱接着性を有する通気性テープ素材４をシール５ａ、５ｂして耳片２０ａ、２０ｂ相互をつなぎ、かつ袋体１の全幅に渡って接着一体化した構造である。
【００１２】
本発明は上記の通りの構造であるから、熱接着性を有する通気性テープ素材４が、袋体１の全幅に渡って接着一体化される位置がチャック２より上位となっている点であり、同様に開放されている側から内容物が充填された後この開放部分がシールされ、チャック２を開放した状態で内容物の滅菌処理が行なわれるもので、このとき滅菌処理用の滅菌ガス等はチャック２より上方の通気性テープ素材４を透過して開口部３に入り、開放しているチャック２部から袋体１内に流入して内容物および袋内部を滅菌するものである。この滅菌処理後にはチャック２はそのままの開放した状態あるいは必要に応じて閉鎖される。
【００１３】
上記各実施例の袋体１は、ガーゼ、脱脂綿、繃帯、縫合糸、綿棒、綿球、生理綿等の医療補助品ないし家庭用衛生材料、あるいは、注射器、輸液セット、輸血セット、シャーレ、医療用手袋等の医療用器具、また、術着、マスク、帽子等の医療関係品、さらに、食品や飲料関係等汚染防止が要求されるような分野で働く人が着用する作業着、手袋、マスク、帽子等広い範囲で使用され、特殊な例では椎茸などの茸の栽培に使用する培養体の滅菌処理にも用いられる。
【００１４】
そこで、本発明に採用する滅菌処理としては、どのような滅菌法でもよいが、例えば、エチレンオキサイドガス（以下ＥＯＧと略称する）、プロピレンオキサイド、ホルムアルデヒド、β−プロピオラクトン、メチルブロマイド等の滅菌ガスを用いるガス滅菌処理や、紫外線処理、或いはＸ線、γ線などの電磁放射線、高速電子線、β線、α線、中性子、陽子などの粒子放射線等を用いる放射線滅菌処理、さらに、オートクレーブ等の加熱滅菌等であり、これらは袋体１に収納される内容物及び内容物を収納する袋体１の素材構成等によって、それらに好ましい滅菌処理を選択する。
【００１５】
また、本発明に用いられる袋体１の胴部フィルム１ａ、１ｂの素材としては、例えば、ポリエチレン、ポリプロピレン、ポリエステル、ナイロン等の熱接着性を有する単一または複合フィルムであり、複合フィルムの場合には内面のシーラント層を形成する樹脂としては、比較的低温で溶融する樹脂であれば特に限定することなく用いることができ、具体的には、低密度ポリエチレン、直鎖状低密度ポリエチレン、ポリプロピレン、エチレン−酢酸ビニル共重合体、エチレン−プロピレン共重合体等を用いる。また、基材層としては、比較的安価な直鎖状低密度ポリエチレンやポリプロピレン等が選択されたり、酸素や水を通し難いナイロンやポリエステル等が選択されたり、あるいは、エチレン−ビニルアルコール共重合体等のガスバリヤー性を有する樹脂からなる層と、ポリオレフィン等の水分遮断性を有する樹脂からなる層との２層以上の樹脂層であってもよく、あるいはまた、ポリオレフィン樹脂等からなる層に塩化ビニリデンをコートしたり、ポリオレフィン樹脂等からなる層にアルミや酸化ケイ素を蒸着する等して、ガスバリヤ効果を高めたもの、さらに、ポリオレフィン樹脂等からなる層にアルミ箔等の金属箔や紙をラミネートしたものであってもよいが、これらに限定されるものではない。
【００１６】
さらに、本発明に用いられる通気性テープ素材４としては、通気性と細菌遮断性を有し、袋体１の胴部フィルム１ａ、１ｂに用いられる素材との熱接着性に優れたものであることが望ましい。そこで、具体例として、ポリエチレン、ポリプロピレン、ポリエステル、ナイロン等の合成樹脂繊維からなる不織布、微多孔性合成樹脂フィルム、紙あるいは紙に前記合成樹脂繊維を混抄した合成紙などを単独又は複数層積層した複合材である。なお、前記ＥＯＧによるガス滅菌処理においては、通気性テープ素材４としては、アミノ基、−ＳＨ基、カルボキシル基などのＥＯＧと反応する物質や、メルカプタン類、エステル類などの揮発性物質を含まないものが選択される。
【００１７】
【本発明袋体の使用態様】
前述の通り、各実施例の何れにおいても、開放されている側から内容物が充填された袋体１は、その開放部分がシールされる。この時点においてチャック２は開放した状態であり、内容物の充填後における滅菌処理ではチャック２はその開放した状態で滅菌処理を行い、例えばＥＯＧ処理の場合は、滅菌処理後の袋体１内にＥＯＧが残存しないように、必要程度時間を置いて通気性テープ素材４から脱気するのを待ってチャック２を閉じたり、或いはチャック２をそのままの開放した状態で出荷する。ユーザーは、袋体１の開口部３をカットして既に滅菌している内容物を取り出して直ちに使用する。
【００１８】
上記滅菌処理してチャック２を開放した状態で出荷した場合、ユーザーでの保管が長期に渡ってしまったときや、特に滅菌性が要求されるとき等に、ユーザーではそのまま再滅菌処理を行うことができ、あるいはユーザーが一々チャック２を開放する手間を省き、一部使用した残りの内容物はチャック２を閉じて保管しておき滅菌効果のあるうちに使用する。なお、内容物の充填後に滅菌処理を行わないで（チャック２を開放した状態で）出荷する場合があり、この場合はユーザーのほうで使用時に滅菌処理して使用し、一部残りの内容物は、チャック２を閉じて保管しておき、滅菌効果のあるうちに使用する態様となる。
【００１９】
一方滅菌処理後にチャック２を閉じた状態で出荷する場合は、例えば、輸送運搬中の通気性テープ素材４部分の破損事故や、多湿環境下に置かれた場合、水で濡れたりした場合等には内容物を保護し、滅菌効果が可及的に持続する。したがって、内容物が使用されるに至る過程を把握した上で、或いはユーザーの要望に応じて、チャック２を開放した状態で出荷するか閉じた状態で出荷するかが選択されるが、店頭販売される場合は、多種多様な環境状況が想定されるため、チャック２を閉じた状態で出荷して内容物に対する保護性を高めることが望ましい。
【００２０】
すなわち、本発明における通気性テープ素材４はチャック２より上部の開口部３における耳片に設けられているため、前記チャック２を閉じることにより通気性テープ素材４を通しての袋体１内との通気はチャック２により可及的に遮断される。従って、袋体１を多湿の雰囲気の状況下に放置したり、通気性テープ素材４に水分が直接、間接的に付着するような状況下に置かれた場合であっても、内容物にカビの発生や変質を防止し、水分が付着することによる水分を媒体とする細菌の浸透を阻止するものである。
【００２１】
なお、使い捨てではない内容物に対してその後の滅菌性を確保するために、袋体単体でも販売の対象となり（当初の袋体１の開口部３をカットしないで再利用を図ってもよいが、繰り返して使用するうちに通気性テープ素材４部分等が損傷して、滅菌効果が弱くなってしまう場合があり注意を要する。）、例えば、使用済みの内容物を洗濯した後購入した袋体に収納して同様に滅菌処理を行い、次回の使用に備えるものである。また、使い捨ての内容物については、雑菌等に汚染された内容物を袋内に再収納してチャック２を閉じ、一括廃棄処理することにより環境汚染を防止するものである。
【００２２】
また、通気性テープ素材４は袋体１の全幅に渡って接着されているため、吸気及び脱気が円滑に行われ、滅菌処理と残存ガスの排出を短時間で行うことができる。さらに、滅菌処理条件（内容物、袋体１のサイズ、滅菌処理スピード及び時間）を、袋体１に設ける通気性テープ素材４の面積に応じて自由に設定することができる。
【００２３】
本発明の袋体においては、チャック２を閉じることにより通気性テープ素材４を通しての袋体１内との通気はチャック２により可及的に遮断されるため、通気性テープ素材４の性能や強度の向上に必要なコストアップを抑えることができ、また、本発明の袋体の製造においては、連続帯状の通気性テープ素材４を一連の製袋工程に組み込んで所定部に接着することにより高速生産が可能であり、低コストで製造され、比較的高価な通気性テープ素材４を使用するこの種袋体自体を比較的安価に提供することができる。
【００２４】
本発明による袋体は滅菌処理が行われる内容物のみならず、電子レンジ用の包装袋として使用する場合に、チャック２を開放した状態で電子レンジで加熱した際に袋内の膨張気体を通気性テープ素材４から排気することができるので、電子レンジ用の包装袋として使用することもできる。
【００２５】
【発明の効果】
以上詳述したように本発明によれば、通気性テープ素材をチャックより上部の耳片に設けたことによりチャックを閉じておくことで、多湿の雰囲気の状況下に放置されたり、通気性テープ素材に水分が直接、間接的に付着するような状況下におかれた場合であっても、内容物にカビの発生や変質を防止し、水分が付着することによる水分を媒体とする細菌の浸透を遮断する。或いは、通気性テープ素材と内容物が隔離されているので内容物が通気性テープ素材を損傷することはなく、一方、外的事由により通気性テープ素材が損傷したりすることがあっても、滅菌効果を可及的に持続する。また、通気性テープ素材がチャックより上方に位置しており、チャックを開放した状態で前記通気性テープ素材を通して滅菌処理が行われることから、チャックより上方の開口部部分やチャック部分も確実に滅菌処理が施されており、従って、内容物の取り出しの際に内容物がこれらの部分と接触することによっても汚染されることがない。さらに、滅菌処理と残存ガスの排出を短時間で行うことができ、ユーザー側の各種状況に応じてケースバイケースで、利便性を有する袋体を安価に提供することができる。
【図面の簡単な説明】
【図１】  本発明の実施例１の袋体を示す断面図
【図２】  本発明の実施例２の袋体を示す断面図
【図１】
0003795324.tif 000002
【図２】
0003795324.tif 000003